(57)【要約】  本発明は、トロイダルコアチョークに用いられる支持装置に関する。当該支持装置はベースプレート（１０）を有している。このベースプレート（１０）は、張り出した線材案内装置（１１，１２）を有している。さらに、本発明は、支持装置を有する、誘導性の構成素子に用いられる保持部および保持部を備えた誘導性の構成素子に関する。
2008547188.tif 000002
【特許請求の範囲】
【請求項１】
トロイダルコアチョークに用いられる支持装置において、ベースプレート（１０）が設けられており、該ベースプレート（１０）が、張り出した長く延ばされた線材案内装置（１１，１２）を有していることを特徴とする、トロイダルコアチョークに用いられる支持装置。
【請求項２】
線材案内装置（１１，１２）が、ベースプレート（１０）の側方で延びており、該側方が、トロイダルコアチョークを収容するために設けられている、請求項１記載の支持装置。
【請求項３】
線材案内装置（１１，１２）の高さが、該線材案内装置（１１，１２）内に案内したい線材の横方向寸法を少なくともファクタ２だけ上回っている、請求項１または２記載の支持装置。
【請求項４】
線材案内装置（１１，１２）の高さが、その外側横方向寸法を少なくともファクタ２だけ上回っている、請求項１または２記載の支持装置。
【請求項５】
線材案内装置（１１，１２）の高さが、ベースプレート（１０）の厚さを少なくともファクタ２だけ上回っている、請求項１または２記載の支持装置。
【請求項６】
線材案内装置（１１，１２）が、それぞれ少なくとも１つの線材案内通路を有している、請求項１から５までのいずれか１項記載の支持装置。
【請求項７】
ベースプレート（１０）で線材案内装置（１１，１２）の間に、トロイダルコアチョークを配置するためのチョーク領域が設けられている、請求項１から６までのいずれか１項記載の支持装置。
【請求項８】
トロイダルコアチョークが、線材案内装置（１１，１２）の間に起立した状態に配置可能である、請求項７記載の支持装置。
【請求項９】
線材案内装置（１１，１２）が、Ｕプロファイルを有している、請求項１から８までのいずれか１項記載の支持装置。
【請求項１０】
線材案内装置（１１，１２）が、それぞれ中空管として形成されている、請求項１から８までのいずれか１項記載の支持装置。
【請求項１１】
ベースプレート（１０）に線材貫通案内開口（１０１〜１０６）が形成されている、請求項１から１０までのいずれか１項記載の支持装置。
【請求項１２】
ベースプレート（１０）が、長手方向で、縁領域と、該縁領域の間に配置された少なくとも１つの中間領域とに分割されており、線材案内装置（１１，１２）が、少なくとも１つの中間領域に配置されている、請求項１から１１までのいずれか１項記載の支持装置。
【請求項１３】
ベースプレート（１０）の各領域に、それぞれ１つの線材巻線のための２つの線材貫通案内開口（１０１〜１０６）が設けられている、請求項１２記載の支持装置。
【請求項１４】
１つの領域の２つの線材貫通案内開口（１０１〜１０６）が、横方向に沿って配置されている、請求項１２または１３記載の支持装置。
【請求項１５】
線材案内通路が、ベースプレート（１０）に対して横方向に延びていて、線材貫通案内開口（１０３，１０４）に開口している、請求項１２から１４までのいずれか１項記載の支持装置。
【請求項１６】
線材案内装置（１１，１２）が、チョーク領域に向けられた側に突出部（１１１，１１２）を有しており、該突出部（１１１，１１２）が、線材案内装置（１１，１２）の主軸線に沿って延びている、請求項７から１５までのいずれか１項記載の支持装置。
【請求項１７】
突出部（１１１，１１２）の、ベースプレート（１０）と反対の側の端部が斜め面取りされている、請求項１６記載の支持装置。
【請求項１８】
線材案内装置（１１，１２）が、チョーク領域に向けられた係止装置（１１３）を有している、請求項７から１７までのいずれか１項記載の支持装置。
【請求項１９】
各線材案内装置（１１，１２）の係止装置（１１３）が、突出部（１１１，１１２）によって側方で仕切られている、請求項１８記載の支持装置。
【請求項２０】
係止装置（１１３）が、リブ付け部を有している、請求項１９記載の支持装置。
【請求項２１】
ベースプレート（１０）が、その下面にスペーサ基部を有している、請求項１から２０までのいずれか１項記載の支持装置。
【請求項２２】
誘導性の構成素子に用いられる保持部において、請求項１から２１までのいずれか１項記載の支持装置と、トロイダルコアチョークのコアホール内に挿入可能な電位分離装置（５）とが設けられており、該電位分離装置（５）が、線材案内装置（１１，１２）の係止装置（１１３，１２３）に位置固定可能であることを特徴とする、誘導性の構成素子に用いられる保持部。
【請求項２３】
電位分離装置（５）が、端面側に係止装置（５０）を有しており、該係止装置（５０）が、線材案内装置（１１，１２）の係止装置（１１３，１２３）に位置固定可能である、請求項２２記載の保持部。
【請求項２４】
電位分離装置（５）の係止装置（５０）が、線材案内装置（１１，１２）の係止装置（１１３，１２３）に対する対応片として形成されている、請求項２３記載の保持部。
【請求項２５】
誘導性の構成素子であって、請求項２１から２４までのいずれか１項記載の保持部と、１つのトロイダルコア（２）と、複数の線材巻線（４１，４２，４３）とが設けられており、該線材巻線（４１，４２，４３）の端部（３１，３２，３３）が、ベースプレート（１０）の線材貫通案内開口（１０１〜１０６）を通して案内されている形式のものにおいて、電位分離装置（５）が、トロイダルコア（２）のコアホール内に挿入されていて、線材案内装置（１１，１２）に位置固定されており、１つの線材案内装置（４１，４２，４３）の端部（３３）が、線材案内装置（１１，１２）内に案内されていることを特徴とする、誘導性の構成素子。
【発明の詳細な説明】
【技術分野】
【０００１】
本発明は、トロイダルコアチョークに用いられる支持装置に関する。
【０００２】
さらに、本発明は、誘導性の構成素子に用いられる保持部に関する。
【０００３】
さらに、本発明は、誘導性の構成素子であって、前述した保持部と、１つのトロイダルコアと、複数の線材巻線とが設けられており、該線材巻線の端部が、ベースプレートの線材貫通案内開口を通して案内されている形式のものに関する。
【０００４】
トロイダルコアチョークに用いられる支持装置ならびに支持装置を備えた保持部が記載される。さらに、保持部を備えた誘導性の構成素子が記載される。
【０００５】
絶縁部材が、たとえばドイツ連邦共和国特許第１０２２３９９５号明細書に基づき公知である。この公知の絶縁部材はトロイダルコアチョークのトロイダルコアを有していて、線材巻線を位置固定しならびにモジュラ寸法を維持するための突出部を有している。絶縁部材は中心領域にウェブを有している。このウェブは電位分離のために働く。
【０００６】
別の絶縁部材が、たとえばドイツ連邦共和国特許出願公開第１０３０８０１０号明細書に基づき公知である。この公知の絶縁部材は、半径方向外向きに延びるウェブを有している。このウェブは押圧によって半径方向に弾性変形可能である。
【０００７】
解決したい課題は、互いに絶縁したい複数の巻線を備えたトロイダルコアチョークに用いられる保持部を提供することにある。
【０００８】
この課題を解決するために本発明の支持装置では、ベースプレートが設けられており、該ベースプレートが、張り出した長く延ばされた線材案内装置を有しているようにした。
【０００９】
本発明の支持装置の有利な構成によれば、線材案内装置が、ベースプレートの側方で延びており、該側方が、トロイダルコアチョークを収容するために設けられている。
【００１０】
本発明の支持装置の有利な構成によれば、線材案内装置の高さが、該線材案内装置内に案内したい線材の横方向寸法を少なくともファクタ２だけ上回っている。
【００１１】
本発明の支持装置の有利な構成によれば、線材案内装置の高さが、その外側横方向寸法を少なくともファクタ２だけ上回っている。
【００１２】
本発明の支持装置の有利な構成によれば、線材案内装置の高さが、ベースプレートの厚さを少なくともファクタ２だけ上回っている。
【００１３】
本発明の支持装置の有利な構成によれば、線材案内装置が、それぞれ少なくとも１つの線材案内通路を有している。
【００１４】
本発明の支持装置の有利な構成によれば、ベースプレートで線材案内装置の間に、トロイダルコアチョークを配置するためのチョーク領域が設けられている。
【００１５】
本発明の支持装置の有利な構成によれば、トロイダルコアチョークが、線材案内装置の間に起立した状態に配置可能である。
【００１６】
本発明の支持装置の有利な構成によれば、線材案内装置が、Ｕプロファイルを有している。
【００１７】
本発明の支持装置の有利な構成によれば、線材案内装置が、それぞれ中空管として形成されている。
【００１８】
本発明の支持装置の有利な構成によれば、ベースプレートに線材貫通案内開口が形成されている。
【００１９】
本発明の支持装置の有利な構成によれば、ベースプレートが、長手方向で、縁領域と、該縁領域の間に配置された少なくとも１つの中間領域とに分割されており、線材案内装置が、少なくとも１つの中間領域に配置されている。
【００２０】
本発明の支持装置の有利な構成によれば、ベースプレートの各領域に、それぞれ１つの線材巻線のための２つの線材貫通案内開口が設けられている。
【００２１】
本発明の支持装置の有利な構成によれば、１つの領域の２つの線材貫通案内開口が、横方向に沿って配置されている。
【００２２】
本発明の支持装置の有利な構成によれば、線材案内通路が、ベースプレートに対して横方向に延びていて、線材貫通案内開口に開口している。
【００２３】
本発明の支持装置の有利な構成によれば、線材案内装置が、チョーク領域に向けられた側に突出部を有しており、該突出部が、線材案内装置の主軸線に沿って延びている。
【００２４】
本発明の支持装置の有利な構成によれば、突出部の、ベースプレートと反対の側の端部が斜め面取りされている。
【００２５】
本発明の支持装置の有利な構成によれば、線材案内装置が、チョーク領域に向けられた係止装置を有している。
【００２６】
本発明の支持装置の有利な構成によれば、各線材案内装置の係止装置が、突出部によって側方で仕切られている。
【００２７】
本発明の支持装置の有利な構成によれば、係止装置が、リブ付け部を有している。
【００２８】
本発明の支持装置の有利な構成によれば、ベースプレートが、その下面にスペーサ基部を有している。
【００２９】
さらに、前述した課題を解決するために本発明の保持部では、前述した支持装置と、トロイダルコアチョークのコアホール内に挿入可能な電位分離装置とが設けられており、該電位分離装置が、線材案内装置の係止装置に位置固定可能であるようにした。
【００３０】
本発明の保持部の有利な構成によれば、電位分離装置が、端面側に係止装置を有しており、該係止装置が、線材案内装置の係止装置に位置固定可能である。
【００３１】
本発明の保持部の有利な構成によれば、電位分離装置の係止装置が、線材案内装置の係止装置に対する対応片として形成されている。
【００３２】
さらに、前述した課題を解決するために本発明の誘導性の構成素子では、電位分離装置が、トロイダルコアのコアホール内に挿入されていて、線材案内装置に位置固定されており、１つの線材案内装置の端部が、線材案内装置内に案内されているようにした。
【００３３】
トロイダルコアチョークに用いられる支持装置が記載される。この支持装置はベースプレートを有している。このベースプレートは、張り出した長く延ばされた線材案内装置を有している。
【００３４】
以下に、前述した支持装置の有利な構成を説明する。
【００３５】
線材案内装置はベースプレートの側方で延びている。この側方は、トロイダルコアチョークを収容するために設けられている。
【００３６】
線材案内装置の高さは、この線材案内装置内に案内された、１つの線材巻線に対応配置された線材が、同一のトロイダルコアチョークの少なくとも１つの別の巻線に対して間隔を置いて配置されているように選択されている。線材案内装置の高さは、たとえば少なくともコアホール始端または少なくともコアホール中心にまで到達するように選択されていてよい。線材案内装置の高さは、１つの変化形では、コアホール中心を越えてすら延びていてよい。
【００３７】
線材案内装置の高さは、有利には、その外側横方向寸法および／または線材案内装置内に案内したい線材の横方向寸法および／またはベースプレートの厚さよりも著しく大きい。
【００３８】
線材案内装置の高さは、この線材案内装置内に案内したい線材の横方向寸法を、有利には少なくともファクタ２だけ、１つの変化形では、少なくともファクタ３だけ上回っている。
【００３９】
線材案内装置の高さは、有利な構成では、その外側横方向寸法またはベースプレートの厚さを少なくともファクタ２だけ、有利には少なくともファクタ３だけ上回っている。
【００４０】
線材案内装置は、有利には少なくとも１つの線材案内通路を有している。この線材案内通路は、１つの変化形では、長く延ばされた溝として形成されていて、別の変化形では、長く延ばされた一貫した開口として形成されている。
【００４１】
有利な構成では、線材案内装置の間に、トロイダルコアチョークを配置するためのチョーク領域が設けられている。
【００４２】
トロイダルコアチョークは線材案内装置の間に起立した状態に配置可能である。この場合、トロイダルコアチョークの端面は線材案内装置に向けられていて、ベースプレートに対して横方向に配置されている。
【００４３】
線材案内装置は、閉じられたプロファイル、ＵプロファイルまたはＨプロファイルを有していてよい。線材案内装置は、たとえば中空管もしくは中空シリンダまたは片側で開放した半割管として形成されていてよい。原理的には、線材案内装置の任意の横断面が考慮される。
【００４４】
ベースプレートには、線材貫通案内開口が形成されていてよい。この場合、一対の線材貫通案内開口は、トロイダルコアチョークの１つの線材巻線のモジュラ寸法を維持するために働く。
【００４５】
ベースプレートは、長手方向で、縁領域と、この縁領域の間に配置された少なくとも１つの中間領域とに分割されていてよい。この場合、２つの線材案内装置は少なくとも１つの中間領域に配置されていて、互いに反対の側に位置している。
【００４６】
有利には、ベースプレートの各領域に、それぞれ１つの線材巻線のための２つの線材貫通案内開口が設けられている。１つの領域の２つの線材貫通案内開口は、有利には横方向に沿って配置されている。
【００４７】
線材案内装置はベースプレートに対して横方向に延びていて、線材貫通案内開口に開口している。
【００４８】
有利な構成では、線材案内装置が、チョーク領域に向けられた側に突出部もしくはレールまたはガイドを有している。この突出部もしくはレールまたはガイドは、線材案内装置の主軸線に沿って延びている。突出部の、ベースプレートと反対の側の端部は、有利には斜め面取りされている。
【００４９】
線材案内装置は、１つの変化形では、チョーク領域に向けられた係止装置を有している。この係止装置は、有利には突出部によって両側で仕切られている。係止装置は、たとえばリブ付け部を有しているかまたは歯列のために適した係止エレメントを有している。
【００５０】
前述した支持装置は、誘導性の構成素子のために設けられた保持部に使用可能である。さらに、この保持部は、トロイダルコアチョークのコアホール内に挿入可能な保持装置を有している。この保持装置は、たとえば有利には端面側に配置された係止装置によって線材案内装置の係止装置に位置固定可能であってよい。この場合、保持装置の係止装置は、有利には、線材案内装置の係止装置に対する対応片として形成されている。対応片とは、特に原体に対して形状接続的に形成された嵌合部材と解されたい。
【００５１】
保持装置の、係止装置を有する部分は、軸方向でトロイダルコアに比べて、有利には両側で張り出して形成されている。
【００５２】
保持装置はコアホール内に、有利には弾性的な力によって位置固定可能である。保持装置は、有利には電気的に絶縁性の材料から成っている。保持装置は、たとえば電位分離装置であってよい。この電位分離装置は、１つの変化形では、星形に形成されている。
【００５３】
前述した保持部は、特にトロイダルコアチョークを備えた誘導性の構成素子のために適している。トロイダルコアチョークは、１つのトロイダルコアと、このコアに巻き付けられた複数の線材巻線とを有している。これらの線材巻線の端部は、ベースプレートの線材貫通案内開口を通して案内されている。有利には電位分離装置として設けられた保持装置は、トロイダルコアのコアホール内に挿入されていて、線材案内装置の間に位置固定されている。この場合、１つの線材巻線の端部は線材案内装置の線材案内通路内に案内されている。
【００５４】
以下に、支持装置、誘導性の構成素子に用いられる保持部および誘導性の構成素子を、縮尺正確でない概略図につき説明する。
【００５５】
図１、図２および図７には、支持装置が、それぞれ異なる方向から見た図で示してある。この支持装置は、コイル枠体もしくはトロイダルコアチョークのための支持体として働く。支持装置を備えた誘導性の構成素子全体は図３に示してある。図７には、線材貫通案内開口１０５，１０６の領域における支持装置の横断面図が示してある。
【００５６】
支持装置はベースプレート１０を有している。このベースプレート１０は、一方向（上方）に張り出した線材案内装置１１，１２を有している。この線材案内装置１１，１２は、チョーク領域と反対の側のそれぞれ１つの線材案内通路を備えたロッド状の構造体である。線材案内装置１１，１２は、ここでは、Ｕプロファイルを備えて形成されている。
【００５７】
支持装置は、有利には電気的に絶縁性の材料から製造されている。特に射出成形のために適したプラスチックが考慮される。
【００５８】
ベースプレート１０と線材案内装置１１，１２とは、有利には１つの部材で、すなわち、１回の方法ステップで形成されている。しかし、ベースプレート１０と線材案内装置１１，１２とを一種類の材料から別個に製造するかまたはそれぞれ種々異なる材料から別個に製造し、固く、有利にはモノリシックに互いに結合することも可能である。また、まず、ベースプレート１０を準備し、このベースプレート１０に後続の方法ステップで線材案内装置１１，１２を形成することも可能である。
【００５９】
図３に見ることができるトロイダルコアチョークは、１つのトロイダルコア２と、このコアに巻き付けられた３つの線材巻線４１，４２，４３とを有している。これらの線材巻線４１，４２，４３は、それぞれ固有の電位にある。
【００６０】
線材案内装置１１，１２は、それぞれ別の線材巻線４１，４２からの線材巻線４３の線材端部３３の確実な間隔維持のために働く。これによって、線材巻線を絶縁被覆体なしに使用することが可能となる。線材巻線は絶縁ラッカで被覆されてもよいし、場合により、絶縁されていない線材巻線すら使用されてもよい。
【００６１】
ベースプレート１０は長手方向ｘで２つの縁領域と１つの中間領域とに分割されている。線材案内装置１１，１２はベースプレート１０の中間領域に配置されている。線材案内装置１１，１２はベースプレート１０の長手方向ｘに対して横方向で互いに反対の側に位置している。両線材案内装置１１，１２の間には、１つのトロイダルコアチョークを収容するためのチョーク領域が設けられている。
【００６２】
領域ごとに、それぞれ２つの線材貫通案内開口１０１，１０２，１０３，１０４，１０５，１０６が設けられている。これらの開口１０１〜１０６は対を成して横方向ｙに沿って配置されている。開口対は、それぞれ各線材巻線４１，４２，４３の端部３１，３２，３３のモジュラ寸法を維持するために働く。この場合、開口１０１，１０２は、線材巻線４２の両端部３２を貫通案内するために働く。これに類似して、開口１０３，１０４は、線材巻線４３の端部３３を貫通案内するために働くかもしくは開口１０５，１０６は、線材巻線４１の端部３１を貫通案内するために働く。
【００６３】
線材案内装置１１，１２の線材案内通路は開口１０３；１０４に開口している。
【００６４】
支持装置は、有利には、その中心を通って方向ｘ；ｙに対して平行に延びる軸線に対して対称的に形成されている。
【００６５】
開口１０１〜１０６は、有利には図７に示した開口１０５，１０６と同様に形成されている。この場合、この開口１０５，１０６は、ベースプレート１０の主面に対して垂直に延びる内壁を備えた区分と、横断面図で見てベースプレートの上面に向かって拡幅部を有する別の区分とを有している。後者の区分は各開口内への線材端部３１，３２，３３の導入を容易にする。各開口の第１の区分の横断面と横方向寸法とは、有利には線材端部３１，３２，３３の横断面もしくは外側寸法に適合されている。
【００６６】
ベースプレート１０の下面には、ベースプレート１０と、誘導性の構成素子を組み付けるために設けられたプリント配線板（図示せず）との間の間隔維持のためのスペーサ基部６０が設けられている。
【００６７】
線材巻線４３の端区分は、線材案内装置１１，１２の壁によって位置固定されている。有利には、線材巻線４３の端区分は各線材案内通路内に埋め込まれており、これによって、線材区分が、横断面図で見て、線材案内装置１１，１２の開放側でこの装置を越えて張り出していない。
【００６８】
線材案内装置１１，１２は、それぞれ１つの面１１ａ；１２ａを有している。この面１１ａ；１２ａは線材案内装置１１，１２の上面に向けられていて、外周面と上面とに対して斜めに延びている。この斜面は、線材案内装置１１，１２の間への１つのトロイダルコアの導入を容易にする。
【００６９】
図３には、すでに説明した支持装置と、この支持装置に対する対応片として形成された電位分離装置５とを備えた誘導性の構成素子が示してある。
【００７０】
線材巻線４３の端区分は、それぞれ線材案内通路の軸方向に、すなわち、ベースプレート１０に対して横方向に位置固定されている。線材巻線４３の、ベースプレート１０に対して横方向に延びる端区分が、それぞれ線材案内装置１１；１２の線材案内通路内に位置固定されており、この場合、その側方への滑出しが阻止されることによって、ベースプレート１０に対するトロイダルコアチョークの位置も固定されている。
【００７１】
図８にも示した電位分離装置５は、トロイダルコア２のコアホール内に挿入されている。電位分離装置５は、１つの中心部分５５と、この中心部分５５から出発した、星形に延びる、この構成では弾性変形可能な３つのウェブ５０１，５０２，５０３とを有している。これらのウェブ５０１，５０２，５０３の、中心と反対の側の端部には、絶縁領域５１１，５１２，５１３が設けられている。
【００７２】
別の構成では、電位分離装置５のウェブが形状不変であってよく、トロイダルコアに向けられた端部に、弾性変形可能な装置、有利には弾性的に拡開可能な装置を有していてよい。
【００７３】
図４〜図６には、トロイダルコアチョークに用いられる支持装置の別の有利な構成が、それぞれ異なる方向から見た図で示してある。図８〜図１０には、支持装置と、コアホール内に挿入可能な電位分離装置５とを有する保持部が、それぞれ異なる方向から見た図で示してある。第２の構成による支持装置は、以下に説明する、図面から明らかな違いを除いて、有利には、第１の構成による支持装置とほぼ同様に形成されている。
【００７４】
線材案内装置１１，１２は鏡像対称的に形成されている。線材案内装置１１，１２の構成を線材案内装置１１につき説明する。
【００７５】
図４には、線材案内装置１１を内側から見た第２の構成による支持装置の部分横断面図が示してある。
【００７６】
線材案内装置１１は、トロイダルコアホールに向けられた内面に係止装置１１３を有している。この係止装置１１３は、ここでは、リブ付け部を備えた係止面として形成されている。リブ付け部は線材案内装置１１の軸線に沿って延びている。この場合、リブ付け部は、ベースプレート１０に向けられた電位分離装置５の滑動が可能となるものの、これと逆方向への滑動は阻止されているように形成されている。
【００７７】
係止装置１１３は両側でレール１１１，１１２によって仕切られている。このレール１１１，１１２は、線材案内装置１１の、トロイダルコアチョークの方向に向けられた突出部を成している。レールは線材案内装置の軸線に対して平行に延びている。
【００７８】
レール１１１，１１２は線材案内装置の上面に向かって、電位分離装置５の導入が容易となるように斜め面取りされている。
【００７９】
電位分離装置５の、線材案内装置１１に向けられた部分は、有利には、レール１１１，１１２の間で問題なく滑動することができるものの、側方には滑り出すことができないように形成されている。
【００８０】
図４に示した支持装置の側面図は図５に示してある。この場合、線材案内装置１１の外面を見ることができる。
【００８１】
図４〜図６に示した支持装置の断面ＡＡは図７に示してある。この支持装置の断面ＢＢは図９および図１０に見ることができる。
【００８２】
図６には、線材案内装置１１，１２が、それぞれほぼＨプロファイルを有していることが示してある。
【００８３】
図８には、電位分離装置５（上側）と、図４〜図６に相俟ってすでに説明した支持装置（下側）とを備えた、誘導性の構成素子に用いられる保持部が示してある。
【００８４】
電位分離装置５はトロイダルコア２のコアホール内に挿入され、有利には、たとえば弾性的な力によってコアホール内に位置固定される。ブロック矢印によって、電位分離装置５が、有利にはトロイダルコアのコアホール内への挿入後、線材案内装置１１，１２の間に押し込まれ、この線材案内装置１１，１２の間に係止装置５０，１１３によって鉛直方向でならびに線材案内装置の突出部によって長手方向で位置固定されることが示してある。
【００８５】
図９には、図８に示した保持部が、別の方向から見た図で示してある。
【００８６】
剛性的な絶縁領域５１１の両端面には、リブ付け部として成形された係止装置５０が形成されている。剛性的な絶縁領域５１１、すなわち、電位分離装置５の、係止装置５０を有する部分は、軸方向において両側で電位分離装置の残りの部分を越えて張り出している。有利には、電位分離装置の残りの部分の軸方向のサイズは、トロイダルコアの軸方向のサイズに適合されている。この場合、絶縁領域５１１はコアの両側で突出していて、したがって、電位分離装置５とコア２とから成るアッセンブリの位置固定のために適している。
【００８７】
図９には、それぞれ線材案内装置１１；１２のただ１つの突出部１１１；１２１しか見ることができない。この突出部１１１，１２１の上側の端部は、斜め面取りされた面１１１ａ；１２１ａを有している。この場合、同一の線材案内装置に対応配置された突出部の斜め面取りされた面は互いに向き合っている。
【００８８】
図１０には、図８および図９に示した、線材案内装置１１，１２の間への電位分離装置５の係止後の保持部が示してある。線材案内装置の係止装置と電位分離装置の係止装置とは形状接続的に互いに適合されている。係止装置５０，１１３，１２３は係止ロック機構として形成されている。この場合、上方への電位分離装置５の運動はギザ歯の優先方向によって阻止される。
【００８９】
線材案内装置１１，１２は任意の横断面を有することができるかもしくは任意の横断面を備えた線材案内通路を有することができる。線材案内装置１１，１２は、１つの変化形では、中空管もしくは中空シリンダとして形成されていてよい。線材案内通路の横断面は、有利には線材３１〜３３の形状に適合されている。
【００９０】
ベースプレートの形状は、長方形のまたは正方形の構成が有利であるにもかかわらず、任意に選択されていてよい。
【００９１】
線材巻線の個数は３つと異なっていてよい。線材貫通案内開口の個数は、有利には線材巻線の個数に適合されている。Ｎ＞３個の線材巻線の場合には、有利には、ベースプレートのＮ−２個の中間領域が設けられている。この場合、各中間領域には、互いに反対の側に位置する一対の線材案内装置が対応配置されている。
【図面の簡単な説明】
【００９２】
【図１】トロイダルコアチョークに用いられる例示的な支持装置の斜視図である。
【図２】図１に示した支持装置を上方から見た平面図である。
【図３】トロイダルコアチョークと、このトロイダルコアチョークに用いられる図１に示した支持装置と、コアホール内に挿入された電位分離装置とを備えた誘導性の構成素子を示す図である。
【図４】別の支持装置のベースプレートの長手方向に対して平行な横断面図である。
【図５】図４および図８に示した支持装置の側面図である。
【図６】図４および図８に示した支持装置を上方から見た平面図である。
【図７】図１および図８に示した支持装置のベースプレートの長手方向に対して横方向の横断面図である。
【図８】図４および図８に示した支持装置（下側）と、この支持装置に対する対応片として形成された電位分離装置（上側）とから成る、誘導性の構成素子に用いられる保持アッセンブリの斜視図である。
【図９】支持装置内への電位分離装置の挿入前の図８に示した保持アッセンブリの部分横断面図である。
【図１０】支持装置内への電位分離装置の挿入後の図８および図９に示した保持アッセンブリを示す図である。
【符号の説明】
【００９３】
２  トロイダルコア、  ５  電位分離装置、  １０  ベースプレート、  １１  線材案内装置、  １１ａ  面、  １２  線材案内装置、  １２ａ  面、  ３１  線材端部、  ３２  線材端部、  ３３  線材端部、  ４１  線材巻線、  ４２  線材巻線、  ４３  線材巻線、  ５０  係止装置、  ５５  中心部分、  ６０  スペーサ基部、  １０１  線材貫通案内開口、  １０２  線材貫通案内開口、  １０３  線材貫通案内開口、  １０４  線材貫通案内開口、  １０５  線材貫通案内開口、  １０６  線材貫通案内開口、  １１１  突出部、  １１１ａ  面、  １１２  突出部、  １１３  係止装置、  １２１  突出部、  １２１ａ  面、  １２３  係止装置、  ５０１  ウェブ、  ５０２  ウェブ、  ５０３  ウェブ、  ５１１  絶縁領域、  ５１２  絶縁領域、  ５１３  絶縁領域、  ｘ  長手方向、  ｙ  横方向
【図１】
2008547188.tif 000003
【図２】
2008547188.tif 000004
【図３】
2008547188.tif 000005
【図４】
2008547188.tif 000006
【図５】
2008547188.tif 000007
【図６】
2008547188.tif 000008
【図７】
2008547188.tif 000009
【図８】
2008547188.tif 000010
【図９】
2008547188.tif 000011
【図１０】
2008547188.tif 000012
【国際調査報告】
2008547188.tif 000013
2008547188.tif 000014
2008547188.tif 000015
2008547188.tif 000016
2008547188.tif 000017
2008547188.tif 000018